(57)【要約】      （修正有）【課題】御本尊を仏壇に大切に美しく安置するだけでなく緊急避難時には御本尊を保護して持ち出せ、しかも大きさの異なる御本尊を一つのケースで収納でき、御本尊の大きさが変わった場合にも買い替える必要のない御本尊収納美粧ケースを提供する。【解決手段】御本尊収納美粧ケースは大きさの異なる御本尊５，５´を貼り付けた大きさの異なる掛け軸２，２´を収納して仏壇に配置される。背板部９ａは背面中央上部に掛止用孔８が開口される。枠部１０は背板部９ａの四方を前面側で囲う。仕切板１３は、背板部９ａと枠部１０とで囲まれた内部空間の厚み方向の空間を前部の掛け軸収納空間１１と後部の紐収納空間１２とに仕切る。カバー４はケース本体３の前面に取り付けられ、掛け軸収納空間１１の前方から御本尊５，５´を視認可能に覆う。【選択図】図５
0003187043.tif 000002
【実用新案登録請求の範囲】
【請求項１】
大きさの異なる御本尊を貼り付けた大きさの異なる掛け軸を収納する掛け軸収納空間をケース本体の前面に備えて仏壇に配置される御本尊収納美粧ケースであって、
背面中央上部に掛止用孔が開口された背板部、
該背板部の四方を前面側で囲う枠部、
背板部と枠部とで囲まれた内部空間の厚み方向の空間を前部の掛け軸収納空間と後部の紐収納空間とに仕切る平板状の仕切板、
前記枠部の上辺を形成する上枠に沿って仕切板の上部に穿設され、前記掛け軸収納空間と紐収納空間とに通じて開口し、前記掛け軸の上軸が嵌め込まれる上軸嵌合矩形横長孔、
前記枠部の下辺を形成する下枠に沿って仕切板の下部に穿設され、前記掛け軸収納空間と紐収納空間とに通じて開口し、大型の掛け軸の下軸が嵌め込まれる第１下軸嵌合矩形横長孔及び、
前記第１下軸嵌合矩形横長孔の上部にて仕切板に穿設され、小型の掛け軸の下軸が嵌め込まれる第２下軸嵌合矩形横長孔とを備えて構成したケース本体と、
前記ケース本体の前面に取り付けられ、前記掛け軸収納空間の前方から御本尊を視認可能に覆うカバーとで構成したことを特徴とする御本尊収納美粧ケース。
【請求項２】
上枠及び下枠上に配設され、掛け軸の上軸及び下軸を覆う上袴及び下袴が更に設けられていることを特徴とする請求項１に記載の御本尊収納美粧ケース。
【考案の詳細な説明】
【技術分野】
【０００１】
本考案は、仏事を勤行する自宅での崇拝者が崇める御本尊を緊急避難時であっても持ち出せるように各崇拝者にて管理できるようにし、しかも御本尊を一層美しく見せることができ、多種多様な仏壇にも安置可能である御本尊収納美粧ケースに関する。
【背景技術】
【０００２】
一般に、特定の宗派を信仰する崇拝者（信者）が崇める御本尊は、金襴の掛け軸に名号や曼荼羅を記した紙又は布を付したもので、信者にとって大切な仏事品であり、仏壇の中に安置し奉り、仏事の勤行ごとに仏壇に安置された御本尊が拝まれている。
【０００３】
ところが、地震、火事等の異変が発生した際は、御本尊を仏壇ごと持ち出せないので緊急避難時には素早く仏壇から御本尊を持ち出せるようにする必要があった。しかし、御本尊は普段から仏壇の中に大切に美しく安置されていること、上記のようなものであるから、異変時に慌てて取り出すと仏壇中の設置品に接触して汚損するおそれがあり、避難時に御本尊を仏壇の中から安全に取り出し難かった。仮に、御本尊を無事外部に持ち出すことができたとしても、持ち出し時に転倒したり、落としたり、何かにぶつけるなどして御本尊に何らかの外力が加わり、御本尊が汚れたり、破れたりするおそれもあった。
【０００４】
この点に関し、近年、御本尊を容器に収納し、この容器に御本尊を収納した状態で仏壇に安置するようにした本尊安置容器が知られている(例えば特許文献１参照)。この場合は、仏壇から御本尊を容器ごと持ち出せる利点があり、また埃や煤などが多い環境下にある仏壇に長期間安置されても御本尊が汚れて変質するようなこともなく、本尊安置容器ごと取り外して清掃できるなど御本尊を保護して取り扱うことができる。
【先行技術文献】
【特許文献】
【０００５】
【特許文献１】特開２０１０−９４４８５号公報
【考案の概要】
【考案が解決しようとする課題】
【０００６】
しかしながら、本尊安置容器は利点も多い反面、その構成において御本尊の収納機能と御本尊拝観機能と容器の吊支機能等の様々な条件を確保する必要があるため、背面側から底部（トレー、本尊上部軸木、本尊下部軸木、）と、本尊と、蓋部（カバープレート、本尊視認透明窓部）と、装飾板とをこの順に重ね合わせて構成している。底部を構成するトレー、本尊上部軸木及び本尊下部軸木並びにカバープレート、装飾板は複雑な成形品であり、重厚なものであって荘厳な外観を呈するがそのため却って重くなり、緊急時の持ち出しや持ち運びにそぐわない。また、御本尊は大きさの異なるものがあり、メーカーの立場としては御本尊の大きさに合わせて本尊安置容器を複数種類用意する必要があった。同様にユーザーの立場としては御本尊の大きさが変わるたびに容器も買い替えなければならないという問題があった。
【０００７】
そこで本考案は、御本尊を仏壇に大切に美しく安置するだけでなく緊急避難時には御本尊を保護して持ち出せるようにし、しかも大きさの異なる御本尊を一つのケースで収納することができるようにして、御本尊の大きさが変わった場合にも買い替える必要のない御本尊収納美粧ケースを提供することを目的とする。
【課題を解決するための手段】
【０００８】
請求項１に記載した考案は、「大きさの異なる御本尊５，５´を貼り付けた大きさの異なる掛け軸２，２´を収納する掛け軸収納空間１１をケース本体３の前面に備えて仏壇に配置される御本尊収納美粧ケース１であって、
背面中央上部に掛止用孔８が開口された背板部９ａ、
該背板部９ａの四方を前面側で囲う枠部１０、
背板部９ａと枠部１０とで囲まれた内部空間の厚み方向の空間を前部の掛け軸収納空間１１と後部の紐収納空間１２とに仕切る平板状の仕切板１３、
前記枠部１０の上辺を形成する上枠１０ａに沿って仕切板１３の上部に穿設され、前記掛け軸収納空間１１と紐収納空間１２とに通じて開口し、前記掛け軸２，２´の上軸６，６´が嵌め込まれる上軸嵌合矩形横長孔１４、
前記枠部１０の下辺を形成する下枠１０ｂに沿って仕切板１３の下部に穿設され、前記掛け軸収納空間１１と紐収納空間１２とに通じて開口し、大型の掛け軸２の下軸７が嵌め込まれる第１下軸嵌合矩形横長孔１５及び、
前記第１下軸嵌合矩形横長孔１５の上部にて仕切板１３に穿設され、小型の掛け軸２´の下軸７´が嵌め込まれる第２下軸嵌合矩形横長孔１５´とを備えて構成したケース本体３と、
前記ケース本体３の前面に取り付けられ、前記掛け軸収納空間１１の前方から御本尊５，５´を視認可能に覆うカバー４とで構成した」ことを特徴とする。
【０００９】
請求項２に記載した考案は請求項１に記載の御本尊収納美粧ケース１に関し「上枠１０ａ及び下枠１０ｂ上に配設され、掛け軸２，２´の上軸６，６´及び下軸７，７´を覆う上袴１７及び下袴１８，１８´が更に設けられている」ことを特徴とする。
【考案の効果】
【００１０】
請求項１に記載の御本尊収納美粧ケース１によれば、上軸嵌合矩形横長孔１４に対して大型の掛け軸２の下軸７が嵌め込まれる第１下軸嵌合矩形横長孔１５と、小型の掛け軸２´の下軸７´が嵌め込まれる第２下軸嵌合矩形横長孔１５´とが用意されているので、大小大きさの異なる御本尊５，５´を一つの御本尊収納美粧ケース１に収納することができ、小さい御本尊５´から大きなご本尊５に変わった場合、或いはその逆の場合でも、買い替えることなく使用していた御本尊収納美粧ケース１に収納することができる。そして、緊急避難時には御本尊収納美粧ケース１ごと仏壇から素早く持ち出すことができ、御本尊５，５´に損傷を与えるようなことがない。なお、御本尊収納美粧ケース１のケース本体３を丈夫な厚紙で形成すれば、緊急避難のような状況において、軽量であって持ち運びに至便である。
【００１１】
請求項２に記載の御本尊収納美粧ケース１によれば、掛け軸２，２´の上軸６，６´及び下軸７，７´を覆う上袴１７及び下袴１８，１８´が更に設けられているので、大きさの異なる御本尊５，５´を収納したとしても不具合部分（小型の御本尊５´を収納した時に大型御本尊５用の第１下軸嵌合矩形横長孔１５が露出すること）隠されて外から見えず、外観を損なわない。
【図面の簡単な説明】
【００１２】
【図１】本考案の大型の御本尊を収納した御本尊収納美粧ケースの正面図である。
【図２】本考案の小型の御本尊を収納した御本尊収納美粧ケースの正面図である。
【図３】袴を取り外した状態の本考案のケース本体の正面図である。
【図４】（Ａ）は大型の御本尊の正面図、（Ｂ）は小型の御本尊の正面図である。
【図５】本考案の分解側面図で、上下の袴と袴取付枠及びケース本体は縦断面図である。
【図６】本考案の大型の御本尊収納状態の側面断面図である。
【図７】本考案の小型の御本尊収納状態の側面断面図である。
【図８】本考案のケース本体の背面図である。
【図９】本考案のカバーの正面図である。
【図１０】本考案の仕切板の正面図である。
【考案を実施するための形態】
【００１３】
以下、本考案を図示実施例に従って説明する。本考案に係る御本尊収納美粧ケース１は、図１及び図２に示すように、大きさの異なる（本実施例では大小２種類）掛け軸２，２´を収納するケース本体３、袴取付枠１９、上袴１７、２種類の下袴１８，１８´とカバー４とから構成される。
【００１４】
御本尊５，５´は大小２種類あり、これに合わせて前述のように大きさの異なる大小２種類の掛け軸２，２´が用意されている。掛け軸２，２´は金襴の布地５ａ，５ａ´（或いは台紙５ａ，５ａ´）と、その上端に断面半円柱状の上軸６，６´と、下端に円柱状の下軸７，７´が取り付けられている。なお、御本尊５，５´には宗教別に崇拝される梵字記号、曼荼羅、名号（例えば南無妙法蓮華経）等が記載されている。
【００１５】
さらに、掛け軸２，２´を取り扱うときの吊支用として上軸６，６´の上面には金具６ａ，６ａ´と紐６ｂ，６ｂ´とが取り付けられている。そして、この上軸６，６´と下軸７，７´が後述するケース本体３に嵌合して取り付けられる。
【００１６】
上述のケース本体３は、背面中央上部に達磨孔状に形成された掛止用孔８が開口された四角形状の背板部９ａ及びその四周から一体的に立ち上がった側面部９ｂとで構成された背板ケース９と、その側面部９ｂの内側に接して設けられ、背板部９ａの四方を前面側で額縁のように囲う枠部１０と、背板部９ａと枠部１０とで囲まれた内部空間の厚み方向を前部の掛け軸収納空間１１と後部の紐収納空間１２とに平面的に仕切る平板状の堅い厚紙からなる仕切板１３、紐収納空間１２内に配置され、仕切板１３を裏から支える底上げ部材１２ａとで構成されている。
【００１７】
背板部９ａ及び側面部９ｂとで構成される背板ケース９は、厚手の用紙を用い、外力を受けても容易に破れない強度を有し、長方形状の背板部９ａの四周に設けられた側面部９ｂを折り曲げて浅いトレー状に成形されている。背板部９ａの上部中央には達磨孔状に形成された掛止用孔８が形成されており、該掛止用孔８と同じ孔が穿設され、該掛止用孔８を補強する補強部材８ａが掛止用孔８の周囲に貼り付けられている。背板ケース９の外面に現れる面に必要に合わせて金箔或いは金色の装飾紙が貼り付けられている。なお、図示していないが、側面部９ｂを省略し、背板部９ａだけでもよい。その場合は、次に述べる枠部１０が外部に露出することになる。
【００１８】
枠部１０はある程度の硬さと衝撃を吸収してショックを和らげるため弾性を有する例えばウレタン発泡材のような部材で構成され、仕切板１３の前後で分けられ、紐収納空間１２側を後部枠部１０ロ、掛け軸収納空間１１を前部枠部１０イとし、その間に後述する仕切板１３が挟まれている。前・後部枠部１０イ、１０ロは、背板部９ａの四周に沿って貼り付けられた断面矩形の上枠１０ａ、下枠１０ｂ、左枠１０ｃ、右枠１０ｄとで形成され、背板部９ａの前面側に一定高さに突出して貼り付けられている。そして、このうち左枠１０ｃと右枠１０ｄの上下にはカバー取付用のナット部材１０ｅが埋め込まれている。
【００１９】
仕切板１３は長方形を有し、紐収納空間１２を介して背板部９ａの前面側に該背板部９ａと平行して配設された厚手の紙であり、前述の前・後部枠部１０イ、１０ロに挟まれてケース本体３の厚さ方向の空間を前後に２分して仕切る中間厚さ位置に配置されている。枠部１０の上辺を形成する上枠１０ａに沿って仕切板１３の上部に掛け軸収納空間１１と紐収納空間１２とに通じて開口し、掛け軸２，２´の上軸６，６´が嵌め込まれる上軸嵌合矩形横長孔１４が穿設されている。この上軸嵌合矩形横長孔１４の上辺中央には凹部切欠１４ｂが設けられており、その両側は上軸係止片１４ａとなっている。
【００２０】
また、枠部１０の下辺を形成する下枠１０ｂに沿って掛け軸収納空間１１と紐収納空間１２側とに通じて開口し、大型の掛け軸２の下軸７が嵌め込まれる第１下軸嵌合矩形横長孔１５が設けられている。第１下軸嵌合矩形横長孔１５の縦幅は下軸７の直径よりやや小さく形成されている。
【００２１】
そして、第１下軸嵌合矩形横長孔１５の上方にて、第１下軸嵌合矩形横長孔１５に平行に掛け軸収納空間１１と紐収納空間１２側とに通じて開口し、小型の掛け軸２´の下軸７´が嵌め込まれる第２下軸嵌合矩形横長孔１５´が設けられている。同様に第２下軸嵌合矩形横長孔１５´の縦幅は小型の掛け軸２´の下軸７´の直径よりやや小さく形成されている。
【００２２】
この仕切板１３によって前面側には前部枠部１０イと該仕切板１３の前面を覆うカバー４とで囲まれる平面的な前面空間の掛け軸収納空間１１が形成される。一方、仕切板１３の後面側には後部枠部１０ロと、該仕切板１３の後面に対向する背板部９ａとで囲まれる平面的な後面空間の紐収納空間１２が形成される。この紐収納空間１２には第２下軸嵌合矩形横長孔１５´に一致する部分を除き、補強を兼ねた底上げ部材１２ａが内装されている。底上げ部材１２ａはある程度の硬さと弾性を有する例えばウレタン発泡材のような厚手の部材を使用している。
【００２３】
カバー４は、ケース本体３の正面視四角形状の大きさと略同じ大きさの平板状を有し、且つ該カバー４を通して御本尊の保護と視認可能なように透明或いは半透明の例えばペット樹脂やアクリル樹脂材を用いた樹脂プレートで構成されている。また、左枠１０ｃと右枠１０ｄの各ナット部材１０ｅと対向するカバー４の両側上下位置にはビス１６の挿通孔４ａを開口している。ここに用いられるビス１６は手回し用のビス１６を用い、ビス用の工具を用いることなくカバー４を開閉できるようにしたものである。
【００２４】
袴取付枠１９は、枠部１０と同形に紙を切り抜いた矩形リング体で、表面側に金箔或いは金色塗装、金色の装飾紙が施されており、枠部１０の表面に接着されて枠部１０を覆うようになっている。なお、枠部１０のナット部材１０ｅと同じ位置に通孔１９ａが形成されている。
【００２５】
上袴１７は強度の大な厚紙で形成され、その形状は下向きコ字状でケース本体３の上端から上軸嵌合矩形横長孔１４までを上から覆う大きさに形成されている。下袴１８，１８´も同様強度の大な厚紙で形成され、本実施例では大小２種類用意されている。大型の掛け軸２を使用する場合は、上向きコ字状でケース本体３の下端から第１下軸嵌合矩形横長孔１５を上から覆う大きさに形成されている。小型の掛け軸２´を使用する場合は、縦幅の大な上向きコ字状でケース本体３の下端から第２下軸嵌合矩形横長孔１５´を上から覆う大きさに形成されている。
【００２６】
このように構成された御本尊収納美粧ケース１を組み立てる際は、大型の御本尊５を収納する場合、ケース本体３の上軸嵌合矩形横長孔１４に掛け軸２の上軸６を嵌め込んで取り付ける。この時、図６に示すように、上軸６から垂れ下がった紐６ｂが前面側に露出して邪魔にならないように紐６ｂを仕切板１３の背面の紐収納空間１２へと導いて収納させる。そして、上軸嵌合矩形横長孔１４の両側の上軸係止片１４ａが上軸６の両端部分に上から係止して上軸嵌合矩形横長孔１４から上軸６が脱落しないように嵌め込む。続いて、第１下軸嵌合矩形横長孔１５に掛け軸２の下軸７を嵌め込んで取り付ける。この時、下軸７は弾性に富む底上げ部材１２ａと下枠１０ｂに挟み込まれて脱落しないようになっている。このようにして掛け軸収納空間１１に御本尊５が納まるように入れてケース本体３に掛け軸２を収納させる。これらの上軸６と下軸７との取付順序はいずれでもよく、また上軸６と下軸７を両方同時に押し込むようにして嵌合させてもよい。
【００２７】
次に、袴取付枠１９の上部に上袴１７、下部に下袴１８を接着にて取り付け、上軸嵌合矩形横長孔１４とこれに嵌め込まれた上軸６、及び第１下軸嵌合矩形横長孔１５とこれに嵌め込まれた下軸７を隠すようにすると同時に上・下袴１７、１８により御本尊５にカバー４が接触しないように防止している。
【００２８】
最後に、ケース本体３の前方からカバー４を被せて掛け軸２（御本尊５）を覆った状態でカバー４の挿通孔４ａにビス１６を通し、ケース本体３の両側上下位置の各ナット部材１０ｅに該ビス１６を螺着させることによりカバー４をケース本体３に平面的に取り付けて図１に示すように、御本尊収納美粧ケース１の組み立てが完了する。
【００２９】
小型の御本尊５´を収納する場合も上記とほぼ同じで、ケース本体３の上軸嵌合矩形横長孔１４に掛け軸２´の上軸６´を嵌め込んで取り付け、上軸６´から垂れ下がった紐６ｂ´を紐収納空間１２に収納する。そして、上軸嵌合矩形横長孔１４の両側の上軸係止片１４ａが上軸６´の両端部分に上から係止して上軸嵌合矩形横長孔１４から上軸６´が脱落しないように嵌め込み、続いて、第２下軸嵌合矩形横長孔１５´に掛け軸２´の下軸７´を嵌め込んで取り付ける。この時、同様に下軸７´は弾性に富む底上げ部材１２ａ間に挟み込まれて脱落しない。このようにして掛け軸収納空間１１に御本尊５´が納まるように入れてケース本体３に掛け軸２´を収納させる。
【００３０】
そして、袴取付枠１９の上部に上袴１７、下部に下袴１８´を接着にて取り付け、上軸嵌合矩形横長孔１４とこれに嵌め込まれた上軸６´、及び第１及び２下軸嵌合矩形横長孔１５，１５´と第２下軸嵌合矩形横長孔１５´に嵌め込まれた下軸７´を隠すようにすると同時に上・下袴１７、１８´により御本尊５´にカバー４が接触しないように防止している。最後に、前述同様カバー４を被せ、ビス１６を止める。
【００３１】
御本尊収納美粧ケース１を使用する際は、仏壇（図示せず）内の安置される壁面に突設されている係止吊軸（図示せず）に背板部９ａの達磨孔状の掛止用孔８を係止させて吊支することにより仏壇内に安置させることができる。一方、火災、地震等による緊急避難時に御本尊収納美粧ケース１を素早く仏壇から取り出して崇拝者と共に避難する際は、御本尊収納美粧ケース１が吊支されている掛止用孔８を仏壇の係止吊軸より外せば容易に取り外して持ち出すことができる。特に、御本尊５，５´は堅牢な厚紙や発泡性樹脂などで構成されたケース本体３及び透明樹脂で構成されたカバー４によって周囲が覆われた保護状態にあるので、外力を受けても損傷することがなく、常に適正な状態で持ち運びすることができる。
【００３２】
上述の掛止用孔８は達磨孔に限らず、図示しない樹脂プレート等に紐取付孔を開口し、ここに紐を通して吊下げるようにしてもよく、達磨孔に代えて半円形孔や矩形孔を開口し、ここに同形状の掛止用金具を嵌合させ、この掛止用金具を介して御本尊収納美粧ケース１を吊支するように構成することもできる。さらには、これらの各孔を１枚の樹脂プレートに単独孔或いは共通孔として形成し、上述した複数種類の吊支部材に適用可能な共通プレートとして効率よく用いることもできる。
【符号の説明】
【００３３】
１…御本尊収納美粧ケース、２，２´…掛け軸、３…ケース本体、４…カバー、４ａ…挿通孔、５，５´…御本尊、５ａ，５ａ´…金襴布（台紙）、６，６´…上軸、６ａ，６ａ´…吊支用の金具、６ｂ，６ｂ´…紐、７，７´…下軸、８…掛止用孔、８ａ…補強部材、９…背板ケース、９ａ…背板部、９ｂ…側面部、１０…枠部、１０イ…前部枠部、１０ロ…後部枠部、１０ａ…上枠、１０ｂ…下枠、１０ｃ…左枠、１０ｄ…右枠、１０ｅ…ナット部材、１１…掛け軸収納空間、１２…紐収納空間、１２ａ…底上げ部材、１３…仕切板、１４…上軸嵌合矩形横長孔、１４ａ…上軸係止片、１４ｂ…凹部切欠、１５、１５´…第１、２下軸嵌合矩形横長孔、１６…ビス、１７…上袴、１８，１８´…下袴、１９…袴取付枠、１９ａ…通孔
【図１】
0003187043.tif 000003
【図２】
0003187043.tif 000004
【図３】
0003187043.tif 000005
【図４】
0003187043.tif 000006
【図５】
0003187043.tif 000007
【図６】
0003187043.tif 000008
【図７】
0003187043.tif 000009
【図８】
0003187043.tif 000010
【図９】
0003187043.tif 000011
【図１０】
0003187043.tif 000012